(57)【要約】【課題】絶縁物の劣化や破壊等の絶縁異常を常時監視して、漏電による損傷を未然に防止する。【解決手段】絶縁監視装置３６は、正電極１９を支持する第１の支持腕２９における第１の絶縁物３０ａ，３０ｂ間の第１の監視部位３７に、人体に危険のない低い監視電圧Ｖ０を印加する監視用電源回路４０と、第１の絶縁物３０ａ，３０ｂの絶縁異常を監視する第１の監視回路４１とを備える。電極側の第１の絶縁物３０ａが絶縁異常を来たすと、第１の監視回路４１の電圧計５１が監視電圧Ｖ０より大きな検出電圧Ｖ１を検出する。また装置本体側の第１の絶縁物３０ｂが絶縁異常を来たすと、第１の監視回路４１の電圧計５１が監視電圧Ｖ０より小さな検出電圧Ｖ１を検出する。そして、検出電圧Ｖ１が監視電圧Ｖ０より大きいか、または小さい場合は、異常信号設定器５２が異常信号を出力する。【選択図】  図２
2004283843.tif 000002
【特許請求の範囲】
【請求項１】
電極支持装置（２６，３１）で支持された電極（１９，２０）に、直流電源装置（２１）を介して所定電圧を印加することで、該電極（１９，２０）から発する直流アークにより被加熱物を加熱するよう構成した直流アーク加熱装置において、
前記電極支持装置（２６，３１）における電極（１９，２０）と接触する支持部側と装置本体側とを連結する連結部（２９，３４）を、２箇所に配設した絶縁物（３０ａ，３０ｂ，３５ａ，３５ｂ）で２重に絶縁し、
前記連結部（２９，３４）における両絶縁物間の監視部位（３７，３８）に、人体に危険のない低い監視電圧（Ｖ０）を印加し、
前記監視部位（３７，３８）に加わる電圧を検出する検出手段（５１）による検出電圧（Ｖ１）が、前記監視電圧（Ｖ０）より大きいか、または小さい場合には、絶縁異常が発生したものと判断する
ことを特徴とする直流アーク加熱装置の絶縁監視方法。
【請求項２】
電極支持装置（２６，３１）で支持された電極（１９，２０）に、直流電源装置（２１）を介して所定電圧を印加することで、該電極（１９，２０）から発する直流アークにより被加熱物を加熱するよう構成した直流アーク加熱装置において、
前記電極支持装置（２６，３１）における電極（１９，２０）と接触する支持部側と装置本体側とを連結する連結部（２９，３４）の２箇所に配設されて、支持部側と装置本体側との間を２重に絶縁する２つの絶縁物（３０ａ，３０ｂ，３５ａ，３５ｂ）と、
前記連結部（２９，３４）における両絶縁物間の監視部位（３７，３８）に、人体に危険のない低い監視電圧（Ｖ０）を印加する監視用電源回路（４０）と、
前記監視部位（３７，３８）に加わる電圧を検出する検出手段（５１）とから構成した
ことを特徴とする直流アーク加熱装置の絶縁監視装置。
【請求項３】
耐火物（１６）の外表面を鉄皮（１７）で覆って構成されて垂直型鋳造装置における鋳型（１０）の上部を覆い得る蓋部材（１４）に対して、前記電極（１９，２０）が昇降自在に挿通され、前記鉄皮（１７）が、前記電極（１９，２０）および大地に対して２つの絶縁物（１６，２４，５４）により２重に絶縁され、前記鉄皮（１７）における両絶縁物間で、前記監視用電源回路（４０）を介して人体に危険のない低い監視電圧（Ｖ０）が印加される監視部位（３９）に加わる電圧を、検出手段（５１）で検出するよう構成した請求項２記載の直流アーク加熱装置の絶縁監視装置。
【請求項４】
前記検出手段（５１）で検出された検出電圧（Ｖ１）が、前記監視電圧（Ｖ０）より大きいか、または小さい場合には絶縁異常が発生したものと判断する判断手段（５２）を備える請求項２または３記載の直流アーク加熱装置の絶縁監視装置。
【発明の詳細な説明】
【０００１】
【発明の属する技術分野】
この発明は、直流アーク加熱装置により被加熱物を加熱するに際し、該加熱装置の絶縁異常を検出して漏電による損傷を未然に防止し得る直流アーク加熱装置の絶縁監視方法および装置に関するものである。
【０００２】
【従来の技術】
上下に開口する鋳型（モールド）に溶鋼を鋳込み、該鋳型の下方に昇降可能に配設した昇降台のダミーヘッドに、鋳型内で冷却されて表面にシェルが形成された鋳片の下端を支持した状態で、該昇降台を所定速度で垂直に下降することで鋳型下部から鋳片を垂直に引抜いて、所定長さ寸法の鋳片を鋳造する垂直型鋳造装置が知られている。
【０００３】
前記垂直型鋳造装置においては、鋳込み完了後の静置凝固時に鋳型内の溶鋼を加熱することで、センターポロシティ、鋳片頭部キャビティ、中心偏析またはＶ状偏析等の内部欠陥の少ない高品質の鋳片を鋳造することができる。そこで、本願の出願人は、溶鋼の加熱装置として、直流アークを用いて溶鋼を加熱する直流アーク加熱装置を提案した（例えば、特許文献１）。
【０００４】
【特許文献１】
特開２００２−３６１３７６号公報
【０００５】
【発明が解決しようとする課題】
前記直流アーク加熱装置は、鋳型の上部を覆い得る蓋部材に対して正および負の電極が昇降動可能に挿通され、鋳型内の溶鋼と各電極との間に所定電圧を印加することで、該電極から放電する直流の大電流アークにより溶鋼を加熱するよう構成されている。この直流アーク加熱装置においては、前記電極と、これを支持する支持装置等の機械装置との間、あるいは蓋部材と、これが設置される構築物等の間を絶縁し、大電流が機械装置や構築物等に流入しないように維持することが、安定操業の上で特に重要である。
【０００６】
前記大電流が機械装置や構築物等に流入しないように維持するためには、直流アーク加熱装置の運転前に、作業者が目視により絶縁物の状態を点検する作業、および加熱装置各部の絶縁測定を行なうことが必要であった。しかるに、この方法は煩雑であるばかりでなく、運転中に発生する絶縁物の絶縁劣化や異物による絶縁破壊等の絶縁異常に対しては対応できず、漏電による機械装置や構築物等の損傷を招くおそれがある。
【０００７】
【発明の目的】
この発明は、前述した従来の技術に内在している前記課題に鑑み、これを好適に解決するべく提案されたものであって、絶縁物の劣化や破壊等の絶縁異常を常時監視して、漏電による損傷を未然に防止し得る直流アーク加熱装置の絶縁監視方法および装置を提供することを目的とする。
【０００８】
【課題を解決するための手段】
前述した課題を解決し、所期の目的を好適に達成するため、本発明に係る直流アーク加熱装置の絶縁監視方法は、
電極支持装置で支持された電極に、直流電源装置を介して所定電圧を印加することで、該電極から発する直流アークにより被加熱物を加熱するよう構成した直流アーク加熱装置において、
前記電極支持装置における電極と接触する支持部側と装置本体側とを連結する連結部を、２箇所に配設した絶縁物で２重に絶縁し、
前記連結部における両絶縁物間の監視部位に、人体に危険のない低い監視電圧を印加し、
前記監視部位に加わる電圧を検出する検出手段による検出電圧が、前記監視電圧より大きいか、または小さい場合には、絶縁異常が発生したものと判断することを特徴とする。
【０００９】
前述した課題を解決し、所期の目的を好適に達成するため、本願の別の発明に係る直流アーク加熱装置の絶縁監視装置は、
電極支持装置で支持された電極に、直流電源装置を介して所定電圧を印加することで、該電極から発する直流アークにより被加熱物を加熱するよう構成した直流アーク加熱装置において、
前記電極支持装置における電極と接触する支持部側と装置本体側とを連結する連結部の２箇所に配設されて、支持部側と装置本体側との間を２重に絶縁する２つの絶縁物と、
前記連結部における両絶縁物間の監視部位に、人体に危険のない低い監視電圧を印加する監視用電源回路と、
前記監視部位に加わる電圧を検出する検出手段とから構成したことを特徴とする。
【００１０】
【発明の実施の形態】
次に、本発明に係る直流アーク加熱装置の絶縁監視方法および装置につき、好適な実施例を挙げて、添付図面を参照しながら以下説明する。
【００１１】
図１は、実施例に係る直流アーク加熱装置を垂直型鋳造装置に採用した場合での概略構成を示すものであって、該垂直型鋳造装置の上下に開口する鋳型１０には、図示しないタンディッシュを介して溶鋼１１が鋳込まれ、該鋳型１０の下方に昇降可能に配設したダミーヘッド１２に、鋳型１０内で冷却されて表面にシェルが形成された鋳片１３の下端を支持した状態で、該ダミーヘッド１２を所定速度で垂直に下降することで鋳型下部から鋳片１３を垂直に引抜くよう構成される。前記鋳型１０の上方には、該鋳型１０の上部を覆い得る蓋部材１４が台車（図示せず）に配設されており、該蓋部材１４は、鋳型１０の上部から離間する待機位置と、鋳型１０の上部を覆う加熱位置とに移動可能に構成されると共に、鋳型１０の上部を該蓋部材１４で覆った際に、その内部に加熱室１５を画成するようになっている。なお、蓋部材１４は、絶縁物である耐火物１６の外表面を鉄皮１７で覆って構成される。
【００１２】
前記蓋部材１４の天井部には通孔１４ａ（実施例では２つ）が形成され、各通孔１４ａを介して直流アーク加熱装置１８を構成する正電極（電極）１９または負電極（電極）２０が、加熱室１５内に夫々進退可能に挿入されるようになっている。そして、鋳型１０への被加熱物としての溶鋼１１の鋳込み完了後、静置凝固させる際の溶鋼加熱に際して蓋部材１４が加熱位置において鋳型１０の上部を覆った状態で、鋳型１０内の溶鋼１１と各電極１９，２０との間に、直流電源装置２１を介して所定電圧を印加（例えば２００Ｖ，１０００Ａ）することで、該電極１９，２０から放電する直流アークにより鋳型１０内の溶鋼１１を加熱するよう構成される。また通孔１４ａの内壁面は、前記耐火物１６からなり、該通孔１４ａに挿通されている電極１９，２０は、鉄皮１７に対して絶縁されている。
【００１３】
図１に示す如く、前記待機位置に臨む蓋部材１４の下方の鋳床に、予熱構造体２２が配置され、該予熱構造体２２に蓋部材１４を載置した状態で、前記直流アーク加熱装置１８を運転することで、加熱位置での溶鋼１１の加熱を行なう前に、蓋部材１４を予め所定温度まで予熱し得るよう構成されている。すなわち、この場合においては蓋部材１４が被加熱物となる。前記予熱構造体２２は、例えばカーボンを材質とする受電板（電極）２３を、その上面が露出する状態で絶縁物である耐火物２４により被覆すると共に、該耐火物２４の上面を除く外表面を鉄皮２５で覆って構成される。なお、受電板２３は、接地線を介して接地されている。そして、予熱構造体２２の耐火物２４に蓋部材１４の耐火物１６が接触するように該構造体２２に蓋部材１４を載置すると共に、前記加熱室１５に不活性ガスを供給した状態で、受電板２３と電極１９，２０との間に前記直流電源装置２１を介して所定電圧を印加することで、電極１９，２０から放電する直流アークにより加熱室１５、すなわち蓋部材１４を所定温度まで予熱し得るようになっている。
【００１４】
前記直流アーク加熱装置１８は、図２に示す如く、電気モータやパルスジェネレータ等を有する電極支持装置としての電極昇降装置を、前記電極の本数と対応する数だけ備えている。すなわち、正電極１９を昇降可能に支持する第１の電極昇降装置２６は、図示しない設置機体に立設された第１の支柱２７に対して昇降動可能に配設した第１の本体２８に、連結部としての第１の支持腕２９が略水平に延出するよう配設され、該支持腕２９の延出端に設けた支持部２９ａに正電極１９が取付けられている。また第１の支持腕２９には、正電極１９に接触する支持部側と装置本体側（支柱側）との２箇所に第１の絶縁物３０ａ，３０ｂが離間して配設されて、支持部側と装置本体側との間を２重に絶縁し、加熱装置１８の運転時に電極側から装置本体側に大電流が流入しないよう構成されている。同様に、負電極２０を昇降可能に支持する第２の電極昇降装置３１は、設置機体に立設された第２の支柱３２に対して昇降動可能に配設した第２の本体３３に、連結部としての第２の支持腕３４が略水平に延出するよう配設され、該支持腕３４の延出端に設けた支持部３４ａに負電極２０が取付けられる。また第２の支持腕３４には、負電極２０に接触する支持部側と装置本体側（支柱側）との２箇所に第２の絶縁物３５ａ，３５ｂが離間して配設されて、支持部側と装置本体側との間を２重に絶縁し、加熱装置１８の運転時に電極側から装置本体側に大電流が流入しないよう構成してある。
【００１５】
なお、前記待機位置における予熱時の蓋部材１４は、前記各通孔１４ａに挿通された電極１９，２０を囲む耐火物１６と、蓋部材１４が載置される予熱構造体２２の耐火物２４との２箇所において絶縁され、直流アーク加熱装置１８の運転時に電極側から前記鋳床側に大電流が流入しないよう構成されている。すなわち、蓋部材１４の耐火物１６と予熱構造体２２の耐火物２４とが、前記電極１９，２０および大地（鋳床側）に対して前記鉄皮１７を２重に絶縁するための第３の絶縁物として機能するようになっている。
【００１６】
前記直流アーク加熱装置１８に配設される絶縁監視装置３６は、図２に示す如く、前記第１の支持腕２９における第１の絶縁物３０ａ，３０ｂ間の第１の監視部位３７、第２の支持腕３４における第２の絶縁物３５ａ，３５ｂ間の第２の監視部位３８および蓋部材１４の鉄皮１７における第３の絶縁物１６，２４間の第３の監視部位３９に夫々、人体に危険のない低い監視電圧Ｖ０を印加する監視用電源回路４０を備える。また該絶縁監視装置３６は、前記正電極１９を支持する第１の電極昇降装置２６に配設された第１の絶縁物３０ａ，３０ｂの劣化や破壊等の絶縁異常を監視する第１の監視回路４１、前記負電極２０を支持する第２の電極昇降装置３１に配設された第２の絶縁物３５ａ，３５ｂの劣化や破壊等の絶縁異常を監視する第２の監視回路４２および蓋部材１４に関連する第３の絶縁物１６，２４の劣化や破壊等の絶縁異常を監視する第３の監視回路４３を有している。
【００１７】
前記監視用電源回路４０は、外部の制御電源（交流電源）から供給される電力（ＡＣ１００Ｖ）から安定した直流電力（ＤＣ２４Ｖ，１Ａ）を生成する監視電源装置４４と、該電源装置４４と前記各監視部位３７，３８，３９とを接続する電線に介挿されて、該監視部位３７，３８，３９に印加される監視電圧Ｖ０を、地絡時に電流を抑制すると共に、分圧回路を構成する電圧用抵抗器４５，４６，４７を備える。ちなみに、監視部位３７，３８，３９に印加される監視電圧Ｖ０が、０．９２Ｖ〜１．１Ｖとなるように、前記各電圧用抵抗器４５，４６，４７の抵抗値が設定されている。
【００１８】
前記第１の監視回路４１は、前記第１の監視部位３７に接続する電線に接続する整流器４８を備えると共に、該整流器４８の出力端子間に、第１の分圧抵抗器４９および第２の分圧抵抗器５０を介して検出手段としての電圧計５１が接続され、前記第１の監視部位３７に加えられている電圧を検出して表示し得るよう構成される。また、電圧計５１と並列に判断手段としての異常信号設定器５２が接続され、電圧計５１により検出された検出電圧Ｖ１が、前記監視電圧Ｖ０より大きいか（Ｖ１＞Ｖ０）、または小さい場合には（Ｖ１＜Ｖ０）、該設定器５２は絶縁異常が発生したものと判断して、異常信号を出力するよう設定されている。
【００１９】
なお、前記異常信号設定器５２から出力された異常信号に基づいて、図示しない制御装置は、警報ブザーを鳴らしたり警報ランプを点灯して、作業者に絶縁異常を覚知させると共に、直流アーク加熱装置１８の運転を自動停止させるよう設定される。
【００２０】
前記第２の監視回路４２および第３の監視回路４３の構成は、接続される対象が、第２の監視部位３８、あるいは第３の監視部位３９かの違いのみで、その他の構成は前述した第１の監視回路４１の構成と同一であるので、同一部材には同じ符号を付して示すものとする。すなわち、第２の監視回路４２の電圧計５１は、第２の監視部位３８に加えられている電圧を検出して表示し、該電圧計５１により検出された検出電圧Ｖ１が、前記監視電圧Ｖ０より大きいか、または小さい場合には、対応する異常信号設定器５２が、絶縁異常が発生したものと判断して、異常信号を出力するよう設定される。また、第３の監視回路４３の電圧計５１は、第３の監視部位３９に加えられている電圧を検出して表示し、該電圧計５１により検出された検出電圧Ｖ１が、前記監視電圧Ｖ０より大きいか、または小さい場合には、対応する異常信号設定器５２が、絶縁異常が発生したものと判断して、異常信号を出力するよう設定される。
【００２１】
前記第１の監視回路４１および第２の監視回路４２に配設される整流器４８は、当該絶縁監視装置３６の組付け時において正・負の極性を間違えて接続した場合であっても、常に同一の極性が現われるようにするものであって、省略することは可能である。但し、蓋部材１４の絶縁異常を検出する第３の監視回路４３においては、後述する絶縁異常が発生した際に、正電極１９または負電極２０の何れからのアークが鉄皮１７に放電されるか分からないから、該第３の監視回路４３においては整流器４８は必須となる。
【００２２】
【実施例の作用】
次に、前述した実施例に係る絶縁監視装置の作用につき、前記蓋部材を待機位置で予熱する場合においての監視方法との関係で説明する。
【００２３】
図１に示す如く、前記待機位置において前記蓋部材１４は、その耐火物１６を予熱構造体２２の耐火物２４に接触する状態で、該構造体２２上に載置される。この状態で、前記加熱室１５に不活性ガスを供給すると共に、前記正・負の電極１９，２０に前記直流電源装置２１を介して所定電圧を印加することで、該電極１９，２０から前記受電板２３に対して放電する直流アークにより該加熱室１５、すなわち蓋部材１４は所定温度まで予熱される。
【００２４】
この予熱時において、前記監視用電源回路４０を介して、前記第１の支持腕２９の第１の監視部位３７、第２の支持腕３４の第２の監視部位３８および蓋部材１４における鉄皮１７の第３の監視部位３９の夫々に、人体に危険のない低い監視電圧Ｖ０を印加する。前記第１〜第３の絶縁物３０ａ，３０ｂ，３５ａ，３５ｂ，１６，２４が正常であれば、前記第１〜第３の監視回路４１，４２，４３の各電圧計５１は、前記監視電圧Ｖ０を検出して表示する（監視電圧Ｖ０＝検出電圧Ｖ１）。従って、前記各異常信号設定器５２は、絶縁異常が発生していないものと判断して、異常信号は出力しない。
【００２５】
次に、前記第１あるいは第２の支持腕２９，３４における支持部側（電極１９，２０側）に位置する第１あるいは第２の絶縁物３０ａ，３５ａが、劣化や破壊等により絶縁機能を果たさなくなると（絶縁異常）、前記電極１９，２０に印加されている電圧が第１あるいは第２の支持腕２９，３４における第１あるいは第２の監視部位３７，３８に加えられる。この場合は、前記第１あるいは第２の監視回路４１，４２の電圧計５１が、前記監視電圧Ｖ０より大きな検出電圧Ｖ１を検出して表示する。従って、このときには前記対応する異常信号設定器５２が、絶縁異常が発生したものと判断して異常信号を出力し、警報ブザーや警報ランプにより作業者に絶縁異常を覚知させ得る。また直流アーク加熱装置１８が自動停止され、絶縁異常に伴う漏電による電極昇降装置２６，３１や、これが設置される設置機体等の構築物の損傷を未然に防ぐことができる。
【００２６】
また、前記第１あるいは第２の支持腕２９，３４における装置本体側（支柱２７側）に位置する第１あるいは第２の絶縁物３０ｂ，３５ｂが、劣化や破壊等により絶縁機能を果たさなくなると（絶縁異常）、前記第１あるいは第２の監視部位３７，３８は地絡状態となる。この場合は、前記第１あるいは第２の監視回路４１，４２の電圧計５１が、前記監視電圧Ｖ０より小さな検出電圧Ｖ１を検出して表示する。従って、このときにおいても前記対応する異常信号設定器５２が、絶縁異常が発生したものと判断して異常信号を出力し、警報ブザーや警報ランプにより作業者に絶縁異常を覚知させると共に直流アーク加熱装置１８を自動停止し、絶縁異常に伴う漏電による電極昇降装置２６，３１や設置機体の損傷を未然に防ぐことができる。
【００２７】
次に、前記蓋部材１４の鉄皮１７を電極１９，２０に対して絶縁している電極側の第３の絶縁物１６（蓋部材１４の耐火物）が、劣化や破壊等により絶縁機能を果たさなくなると（絶縁異常）、前記電極１９，２０から第３の監視部位３９（鉄皮１７）にアークが放電され、前記第３の監視回路４３の電圧計５１が、前記監視電圧Ｖ０より大きな検出電圧Ｖ１を検出して表示する。従って、このときには前述したと同様に、対応する異常信号設定器５２が異常信号を出力し、警報ブザーや警報ランプにより作業者に絶縁異常を覚知させると共に直流アーク加熱装置１８を自動停止し、絶縁異常に伴う漏電により台車等の機械装置や予熱構造体２２が配設される構築物等の損傷を未然に防ぐことができる。
【００２８】
また逆に、前記蓋部材１４の鉄皮１７を大地に対して絶縁している鋳床側の第３の絶縁物２４（予熱構造体２２の耐火物）が、劣化や破壊等により絶縁機能を果たさなくなると（絶縁異常）、前記第３の監視部位３９は地絡状態となる。この場合は、前記第３の監視回路４３の電圧計５１が、前記監視電圧Ｖ０より小さな検出電圧Ｖ１を検出して表示する。従って、このときには前述したと同様に、対応する異常信号設定器５２が異常信号を出力して、絶縁異常に伴う漏電による機械装置や構築物等の損傷を未然に防ぐことができる。
【００２９】
すなわち、実施例では、前記電極１９，２０および機械装置等から絶縁した各監視部位３７，３８，３９に現われる検出電圧Ｖ１が、予め該監視部位３７，３８，３９に印加されている監視電圧Ｖ０より大きいか、または小さくなったときに、絶縁異常が発生したものと判断するよう構成している。従って、前記直流アーク加熱装置１８の運転中における絶縁異常を確実かつ簡単に検出することができ、運転前の煩雑な目視作業や絶縁測定を行なう必要はなく、作業者の労力を軽減し得る。また、前記第１〜第３の監視回路４１，４２，４３の何れから異常信号が出力されたかが分かるから、絶縁異常が発生した部位を簡単に特定でき、迅速な対応が可能となる。
【００３０】
【変更例】
前述した実施例では、蓋部材１４を予熱する場合で説明したが、該蓋部材１４を加熱位置に移動して、直流アーク加熱装置１８により溶鋼１１を加熱する場合であっても、前記第１または第２の電極昇降装置２６，３１における絶縁物３０ａ，３０ｂ，３５ａ，３５ｂの絶縁異常を確実に検出することができる。またこの場合、前記鋳型１０の上面に配設した耐火物５４に対し、前記蓋部材１４の耐火物１６が接触した状態で該蓋部材１４が鋳型１０の耐火物５４に載置されることで、蓋部材１４は大地から絶縁するようにする。そして、このときには、蓋部材１４の耐火物１６および鋳型１０の耐火物５４が、前記電極１９，２０および大地に対して前記鉄皮１７を２重に絶縁するための第３の絶縁物として機能するようになっている。
【００３１】
また実施例では、垂直型鋳造装置に配設した直流アーク加熱装置の絶縁異常を検出する場合で説明したが、本願発明に係る絶縁監視方法および装置は、直流アークによりスクラップ等の被溶解物を溶融加熱する直流アーク炉に用いられる直流アーク加熱装置を対象とし得る。
【００３２】
【発明の効果】
以上説明した如く、本発明に係る直流アーク加熱装置の絶縁監視方法および装置によれば、監視部位に現われる電圧と、予め該監視部位に印加されている監視電圧とを比較することで、加熱装置の運転中における絶縁物の異常を簡単に検出することができる。従って、運転前の煩雑な目視作業や絶縁測定を行なう必要はなく、作業者の労力を軽減し得ると共に、絶縁異常に伴う漏電による機械装置や構築物等の損傷を未然に防止し得る。
【図面の簡単な説明】
【図１】本発明の好適な実施例に係る絶縁監視装置を採用した垂直型鋳造装置を示す概略構成図である。
【図２】実施例に係る絶縁監視装置を示す概略図である。
【符号の説明】
１０  鋳型
１４  蓋部材
１６  耐火物（第３の絶縁物）
１７  鉄皮
１９  正電極（電極）
２０  負電極（電極）
２１  直流電源装置
２４  耐火物（第３の絶縁物）
２６  第１の電極昇降装置（電源支持装置）
２９  第１の支持腕（連結部）
３０ａ，３０ｂ  第１の絶縁物
３１  第２の電極昇降装置（電源支持装置）
３４  第２の支持腕（連結部）
３５ａ，３５ｂ  第２の絶縁物
３７  第１の監視部位
３８  第２の監視部位
３９  第３の監視部位
４０  監視用電源回路
５１  電圧計（検出手段）
５２  異常信号設定器（判断手段）
５４  耐火物（第３の絶縁物）
【図１】
2004283843.tif 000003
【図２】
2004283843.tif 000004